(57)【要約】      （修正有）【課題】コンタクト間のクロストークを低減しつつ的確に嵌合させることのできる防水性の高い電気コネクタを提供する。【解決手段】第１コネクタ２は、第１コンタクト４と、第２コンタクト６と、第１コンタクト４と第２コンタクトと６の間に配置された板状のグランドプレート８と、第１コンタクト４、第２コンタクト６、及びグランドプレート８を保持する第１ハウジングとを備え、第２コネクタ２２は、第１コンタクト４と接続される第３コンタクト３０と、第２コンタクト６と接続される第４コンタクト３２と、第３コンタクト３０、及び第４コンタクト３２のコンタクト配列方向両端に配置され、グランドプレート８と接触するグランド金具と、第３コンタクト３０、第４コンタクト３２、及びグランド金具を保持する第２ハウジング３４とを備え、グランドプレート８は、グランド金具と接触する突出部をコンタクト配列方向の両側面に備える。【選択図】図１４
2015170485.tif 000002
【特許請求の範囲】
【請求項１】
第１コネクタと第２コネクタとを備える電気コネクタであって、
前記第１コネクタは、
第１コンタクトと、
第２コンタクトと、
前記第１コンタクトと前記第２コンタクトとの間に配置された板状のグランドプレートと、
前記第１コンタクト、前記第２コンタクト、及び前記グランドプレートを保持する第１ハウジングと
を備え、
前記第２コネクタは、
前記第１コンタクトと接続される第３コンタクトと、
前記第２コンタクトと接続される第４コンタクトと、
前記第３コンタクト、及び前記第４コンタクトのコンタクト配列方向両端に配置され、前記グランドプレートと接触するグランド金具と、
前記第３コンタクト、前記第４コンタクト、及び前記グランド金具を保持する第２ハウジングと
を備え、
前記グランドプレートは、前記グランド金具と接触する突出部を前記コンタクト配列方向の両側面に備えることを特徴とする電気コネクタ。
【請求項２】
第１コネクタに接続される第２コネクタである電気コネクタであって、
前記第１コネクタは、
第１コンタクトと、
第２コンタクトと、
前記第１コンタクトと前記第２コンタクトとの間に配置された板状のグランドプレートと、
前記第１コンタクト、前記第２コンタクト、及び前記グランドプレートを保持する第１ハウジングと
を備え、
前記第２コネクタは、
前記第１コンタクトと接続される第３コンタクトと、
前記第２コンタクトと接続される第４コンタクトと、
前記第３コンタクト、及び前記第４コンタクトのコンタクト配列方向両端に配置され、前記グランドプレートと接触するグランド金具と、
前記第３コンタクト、前記第４コンタクト、及び前記グランド金具を保持する第２ハウジングと
を備え、
前記グランドプレートは、前記グランド金具と接触する突出部を前記コンタクト配列方向の両側面に備えることを特徴とする電気コネクタ。
【請求項３】
第２コネクタが接続される第１コネクタである電気コネクタであって、
前記第１コネクタは、
第１コンタクトと、
第２コンタクトと、
前記第１コンタクトと前記第２コンタクトとの間に配置された板状のグランドプレートと、
前記第１コンタクト、前記第２コンタクト、及び前記グランドプレートを保持する第１ハウジングと
を備え、
前記第２コネクタは、
前記第１コンタクトと接続される第３コンタクトと、
前記第２コンタクトと接続される第４コンタクトと、
前記第３コンタクト、及び前記第４コンタクトのコンタクト配列方向両端に配置され、前記グランドプレートと接触するグランド金具と、
前記第３コンタクト、前記第４コンタクト、及び前記グランド金具を保持する第２ハウジングと
を備え、
前記グランドプレートは、前記グランド金具と接触する突出部を前記コンタクト配列方向の両側面に備えることを特徴とする電気コネクタ。
【請求項４】
前記グランド金具は、前記突出部の前記コンタクト配列方向の側面と接触することを特徴とする請求項１〜３の何れか一項に記載の電気コネクタ。
【請求項５】
前記グランド金具は、前記突出部の上面または下面と接触することを特徴とする請求項１〜３の何れか一項に記載の電気コネクタ。
【請求項６】
前記グランド金具は、前記突出部の上下両面と接触することを特徴とする請求項１〜３の何れか一項に記載の電気コネクタ。
【請求項７】
前記突出部は、前記グランド金具の先端部と係合し前記第１コネクタからの前記第２コネクタの脱抜を防止する係止部、及び前記グランド金具の前記先端部と接触する接触部を備えることを特徴とする請求項４記載の電気コネクタ。
【請求項８】
前記突出部は、前記グランド金具の先端部と係合し前記第１コネクタからの前記第２コネクタの脱抜を防止する係止部を備え、
前記突出部の前記コンタクト配列方向の側面が前記グランド金具の前記先端部よりも脱抜方向側と接触することを特徴とする請求項４記載の電気コネクタ。
【請求項９】
前記突出部は、前記グランド金具の先端部と係合し前記第１コネクタからの前記第２コネクタの脱抜を防止する係止部を備え、
前記突出部の上面または下面が前記グランド金具の前記先端部よりも脱抜方向側と接触することを特徴とする請求項５記載の電気コネクタ。
【請求項１０】
第１コネクタは、第１ハウジングの外周を覆う第１シェルを備え、
第２コネクタは、第２ハウジングの外周を覆う第２シェルを備えることを特徴とする請求項１〜９の何れか一項に記載の電気コネクタ。
【請求項１１】
前記第２シェルは、前記第１シェルの内壁と接触する可撓性の接触子を備えることを特徴とする請求項１０記載の電気コネクタ。
【請求項１２】
前記第１コネクタまたは前記第２コネクタの何れか一方を上下反転させて嵌合可能な請求項１〜１１の何れか一項に記載の電気コネクタ。
【請求項１３】
前記第１コネクタは、前記第１コンタクト、前記第２コンタクト、及び前記グランドプレートの中の少なくとも一つがインサート成形されていることを特徴とする請求項１〜１２の何れか一項に記載の電気コネクタ。
【請求項１４】
前記第１コネクタは、前記第１コンタクトと前記第２コンタクトとが上下方向に重なり合わない複数の非重複部分を有し、
前記グランドプレートは、少なくとも一つの前記非重複部分に相当する位置にインサート成形時に金型パーツが貫通する開口部を備えることを特徴とする請求項１３記載の電気コネクタ。
【請求項１５】
前記第１コネクタは、前記第１コンタクト、前記第２コンタクト、前記グランドプレート、及び前記第１シェルがインサート成形されていることを特徴とする請求項１０または１１記載の電気コネクタ。
【請求項１６】
前記第１コネクタには、前記第１シェルの内壁面と前記第１ハウジングの外壁面との隙間に防水処理が施されていることを特徴とする請求項１０または１１記載の電気コネクタ。
【請求項１７】
前記防水処理は、前記第１シェルと前記第１ハウジングとの隙間にシール剤を充填することにより施されることを特徴とする請求項１６記載の電気コネクタ。
【請求項１８】
前記防水処理は、前記第１シェルと当接するパッキンを前記第１ハウジングの外壁面に備えることにより施されることを特徴とする請求項１６記載の電気コネクタ。
【請求項１９】
前記防水処理は、前記第１ハウジングと前記第１コンタクトとの隙間、前記第１ハウジングと前記第２コンタクトとの隙間、及び前記第１ハウジングと前記グランドプレートとの隙間の中の少なくとも一つの隙間に施されることを特徴とする請求項１６〜１８の何れか一項に記載の電気コネクタ。
【請求項２０】
前記第１コネクタには、前記第１シェルの外壁面と第２ハウジングの後端部をインサート成形によって樹脂で覆う防水処理が施されることを特徴とする請求項１０または１１記載の電気コネクタ。
【請求項２１】
前記第１コネクタは、前記第１シェルまたは前記第１ハウジングの外壁面に、前記第１コネクタが取付けられる電子機器の筐体の内壁面と当接する当接パッキンを備えることを特徴とする請求項１〜２０の何れか一項に記載の電気コネクタ。
【請求項２２】
前記グランド金具は、後端部に複数の前記グランド金具同士を連結する連結部を有することを特徴とする請求項１〜２１の何れか一項に記載の電気コネクタ。
【請求項２３】
前記連結部は、前記第３コンタクトと前記第４コンタクトとの間に配置され前記第１コネクタ側に延びる板状のプレート部を有することを特徴とする請求項２２記載の電気コネクタ。
【請求項２４】
前記第２ハウジングは、
前記第３コンタクトの先端部、前記第４コンタクトの先端部、及び前記グランド金具を受入れる受入部と、
前記第３コンタクトを保持する第３コンタクト保持部と、
前記第４コンタクトを保持する第４コンタクト保持部と
に分割されていることを特徴とする請求項１〜２３記載の電気コネクタ。
【発明の詳細な説明】
【技術分野】
【０００１】
本発明は、電気コネクタに関するものである。
【背景技術】
【０００２】
従来、第１コンタクト群と第２コンタクト群との間に導体を配置することにより、コンタクト間のクロストークの低減を図ったコネクタが存在する（例えば、特許文献１参照）。
【先行技術文献】
【特許文献】
【０００３】
【特許文献１】特許第５１９７７４２号公報
【発明の概要】
【発明が解決しようとする課題】
【０００４】
ところで、上述のコネクタを相手方コネクタに嵌合させた状態にロックするため、上述の電気コネクタのシェル部分にロック穴を設けることが考えられる。しかし、シェル部分にロック穴を設けた場合、樹脂等でシェル部分を密封することが難しくなり、防水性が低下するという問題が生じる。
【０００５】
本発明の目的は、コンタクト間のクロストークを低減しつつ的確に嵌合させることのできる防水性の高い電気コネクタを提供することである。
【課題を解決するための手段】
【０００６】
本発明の電気コネクタは、第１コネクタと第２コネクタとを備える電気コネクタであって、前記第１コネクタは、第１コンタクトと、第２コンタクトと、前記第１コンタクトと前記第２コンタクトとの間に配置された板状のグランドプレートと、前記第１コンタクト、前記第２コンタクト、及び前記グランドプレートを保持する第１ハウジングとを備え、前記第２コネクタは、前記第１コンタクトと接続される第３コンタクトと、前記第２コンタクトと接続される第４コンタクトと、前記第３コンタクト、及び前記第４コンタクトのコンタクト配列方向両端に配置され、前記グランドプレートと接触するグランド金具と、前記第３コンタクト、前記第４コンタクト、及び前記グランド金具を保持する第２ハウジングとを備え、前記グランドプレートは、前記グランド金具と接触する突出部を前記コンタクト配列方向の両側面に備えることを特徴とする電気コネクタ。
【０００７】
また、本発明の電気コネクタは、第１コネクタに接続される第２コネクタである電気コネクタであって、前記第１コネクタは、第１コンタクトと、第２コンタクトと、前記第１コンタクトと前記第２コンタクトとの間に配置された板状のグランドプレートと、前記第１コンタクト、前記第２コンタクト、及び前記グランドプレートを保持する第１ハウジングとを備え、前記第２コネクタは、前記第１コンタクトと接続される第３コンタクトと、前記第２コンタクトと接続される第４コンタクトと、前記第３コンタクト、及び前記第４コンタクトのコンタクト配列方向両端に配置され、前記グランドプレートと接触するグランド金具と、前記第３コンタクト、前記第４コンタクト、及び前記グランド金具を保持する第２ハウジングとを備え、前記グランドプレートは、前記グランド金具と接触する突出部を前記コンタクト配列方向の両側面に備えることを特徴とする。
【０００８】
また、本発明の電気コネクタは、第２コネクタが接続される第１コネクタである電気コネクタであって、前記第１コネクタは、第１コンタクトと、第２コンタクトと、前記第１コンタクトと前記第２コンタクトとの間に配置された板状のグランドプレートと、前記第１コンタクト、前記第２コンタクト、及び前記グランドプレートを保持する第１ハウジングとを備え、前記第２コネクタは、前記第１コンタクトと接続される第３コンタクトと、前記第２コンタクトと接続される第４コンタクトと、前記第３コンタクト、及び前記第４コンタクトのコンタクト配列方向両端に配置され、前記グランドプレートと接触するグランド金具と、前記第３コンタクト、前記第４コンタクト、及び前記グランド金具を保持する第２ハウジングとを備え、前記グランドプレートは、前記グランド金具と接触する突出部を前記コンタクト配列方向の両側面に備えることを特徴とする。
【発明の効果】
【０００９】
本発明によれば、コンタクト間のクロストークを低減しつつ的確に嵌合させることのできる防水性の高い電気コネクタを提供する。
【図面の簡単な説明】
【００１０】
【図１】実施の形態に係るレセプタクルコネクタの斜視図である。
【図２】実施の形態に係るレセプタクルコネクタの断面図である。
【図３】実施の形態に係る第１ハウジングの斜視図である。
【図４】実施の形態に係る第１ハウジングの斜視図である。
【図５】実施の形態に係る第１ハウジングを上方から視た図である。
【図６】実施の形態に係る第１コンタクト、第２コンタクト、及びグランドプレートを示す斜視図である。
【図７】実施の形態に係る実施の形態に係る第１コンタクト、第２コンタクト、及びグランドプレートを上方から視た図である。
【図８】実施の形態に係るプラグコネクタを示す斜視図である。
【図９】実施の形態に係る第２ハウジングを示す斜視図である。
【図１０】実施の形態に係る第２ハウジングを示す斜視図である。
【図１１】実施の形態に係る第２ハウジングを分解した状態を示す斜視図である。
【図１２】実施の形態に係るコンタクト保持部を上下に分割した状態を示す斜視図である。
【図１３】実施の形態に係るレセプタクルコネクタとプラグコネクタを示す斜視図である。
【図１４】実施の形態に係るレセプタクルコネクタとプラグコネクタが嵌合した状態を示す断面図である。
【図１５】実施の形態に係るレセプタクルコネクタとプラグコネクタが嵌合した状態を示す断面図である。
【図１６】実施の形態に係る第１コンタクト、第２コンタクト、グランドプレートをインサート成形するために配置した状態を示す図である。
【図１７】実施の形態に係る第１コンタクト、第２コンタクトが金型パーツで固定された状態を示す斜視図である。
【図１８】実施の形態に係る第１コンタクト、第２コンタクトが金型パーツで固定された状態を示す断面図である。
【図１９】実施の形態に係る第１コンタクト４、第２コンタクト６が金型パーツで固定されて第１ハウジングが形成された状態を示す斜視図である。
【図２０】実施の形態に係る第１ハウジングが形成された状態を示す斜視図である。
【図２１】他の実施の形態に係るグランド金具、及びグランドプレートを示す図である。
【図２２】他の実施の形態に係るグランド金具、及びグランドプレートを示す図である。
【図２３】他の実施の形態に係るグランド金具、及びグランドプレートを示す図である。
【図２４】他の実施の形態に係るグランド金具、及びグランドプレートを示す図である。
【図２５】他の実施の形態に係るグランド金具、及びグランドプレートを示す図である。
【図２６】他の実施の形態に係るレセプタクルコネクタとプラグコネクタを示す斜視図である。
【図２７】他の実施の形態に係るレセプタクルコネクタを示す斜視図である。
【図２８】他の実施の形態に係るレセプタクルコネクタを示す斜視図である。
【図２９】他の実施の形態に係るグランド金具を示す斜視図である。
【図３０】他の実施の形態に係る第１コンタクト、第２コンタクト、グランドプレートを示す斜視図である。
【図３１】他の実施の形態に係る第１コンタクト、第２コンタクト、グランドプレートを上方から視た図である。
【図３２】他の実施の形態に係る第１ハウジングを正面から視た図である。
【発明を実施するための形態】
【００１１】
以下、図面を参照して、本発明の実施の形態に係る電気コネクタについて説明する。図１は実施の形態に係るレセプタクルコネクタの斜視図であり、図２はその断面図である。
【００１２】
図１、２に示すように、レセプタクルコネクタ２は、第１コンタクト４、第２コンタクト６、グランドプレート８、及びこれらを保持する第１ハウジング１０、並びに第１ハウジング１０の周囲を覆う第１シェル部１２を備えている。ここで、第１シェル部１２内には、プラグコネクタ２２（図７参照）を挿入するための空間である挿入孔１４が形成され、第１ハウジング１０は挿入孔１４に配置されている。なお、第１ハウジング１０は、絶縁性を有する樹脂部材によって形成され、第１コンタクト４、第２コンタクト６、グランドプレート８、第１シェル部１２は、それぞれ導電性を有する金属部材によって形成されている。
【００１３】
図３、４は実施の形態に係る第１ハウジングを示す図であり、図５はこれを上方から視た図である。図３〜５に示すように、第１ハウジング１０は、平面視矩形状の板状部１０ａ、及び板状部１０ａを挿入孔１４内の所定の位置に保持するボディ部１０ｂを備えている。
【００１４】
板状部１０ａの上面には、複数の第１コンタクト４がインサート成形され、板状部１０ａの下面には、第１コンタクト４と同数の第２コンタクト６がインサート成形されている。また、板状部１０ａの内部の第１コンタクト４と第２コンタクト６と中間に位置する位置には、板状のグランドプレート８がインサート成形されている（図２参照）。
【００１５】
また、板状部１０ａの上面のボディ部１０ｂ側には、インサート成形時に金型パーツ６０（図１７参照）を挿入するための複数の開口部１０ｄが形成されている。同様に、板状部１０ａの下面のボディ部１０ｂ側にも、金型パーツ６０を挿入させる複数の開口部（図示せず）が形成されている。なお、板状部１０ａの上面の開口部１０ｄは、隣接する第１コンタクト４同士の間に形成され、板状部１０ａの下面の開口部もまた、隣接する第２コンタクト６同士の間に形成されている。
【００１６】
図６は実施の形態に係る第１コンタクト４、第２コンタクト６、及びグランドプレート８を示す斜視図であり、図７はこれを上方から視た図である。図６、７に示すように、第１コンタクト４は、第３コンタクト３０（図１１参照）と接触する第１接点部４ａ、及びボディ部１０ｂの後端部ｇ（図２参照）から突出して図示しない回路基板に接続される第１テール部４ｂを備えている。同様に、第２コンタクト６は、第４コンタクト３２と接触する第２接点部６ａ、及びボディ部１０ｂの後端部ｇから突出して回路基板に接続される第２テール部６ｂを備えている。
【００１７】
ここで、第１テール部４ｂは、第１接点部４ａに対して図７の左側にシフトして連結され、第２テール部６ｂは、第２接点部６ａに対して図７の右側にシフトして連結されている。このため、図７に示すように、第１接点部４ａと第２接点部６ａとを上下方向に重なね合わせて配置すると、第１テール部４ｂと第２テール部６ｂとは上下方向に重なり合わなくなる。
【００１８】
また、第１接点部４ａの先端部４ｃは、全幅の左半分を切り欠いた形状を有し、第２接点部６ａの先端部６ｃは、全幅の右半分を切り欠いた形状を有している。このため、第１接点部４ａと第２接点部６ａとを上下方向に重ね合わせて配置した場合、先端部４ｃと先端部６ｃもまた上下方向に重なり合わなくなる。
【００１９】
また、グランドプレート８の板状部１０ａ側には、コンタクト配列方向の両側面から突出する突出部８ａが形成されている。また、グランドプレート８のボディ部１０ｂ側には、ボディ部１０ｂの後端部ｇから突出して回路基板に接続される第３テール部８ｂが備えられている。また、グランドプレート８の第１テール部４ｂと第２テール部６ｂとが上下方向に重なり合わない位置には、インサート成形時に金型パーツ６０（図１７参照）が貫通する開口部８ｃが形成されている。
【００２０】
図８は実施の形態に係るプラグコネクタを示す斜視図であり、図９、１０は、実施の形態に係る第２ハウジングを示す図である。図９、１０に示すように、プラグコネクタ２２は、第２シェル部２６の内部に第３コンタクト３０、第４コンタクト３２、グランド金具３８、及びこれらを保持する第２ハウジング３４を備えている。なお、第２ハウジング３４は、絶縁性を有する樹脂部材によって形成され、第３コンタクト３０、第４コンタクト３２、グランド金具３８、第２シェル部２６は、導電性を有する金属部材によって形成されている。
【００２１】
図１１は実施の形態に係る第２ハウジング３４を分解した状態を示す図である。図１１に示すように、第２ハウジング３４は、第３コンタクト３０と第４コンタクト３２がインサート成形されたコンタクト保持部４４とコンタクト保持部４４を受け入れる受入部４６とに分解される。なお、第２ハウジング３４には、グランド金具３８が取り外し可能に組み付けられている。
【００２２】
ここで、コンタクト保持部４４は、図１２に示すように、更に上下方向において、第３コンタクト３０を保持する第３コンタクト保持部５２と、第４コンタクト３２を保持する第４コンタクト保持部５４とに分割される。これにより、第３コンタクト保持部５２と第４コンタクト保持部５４とを別々にインサート成形することが可能となり、コンタクト保持部４４を一体として製造する場合と比較して容易にプラグコネクタ２２を製造することができる。
【００２３】
なお、第３コンタクト保持部５２の受入部４６側の端部からは、第１コンタクト４と接触する第３接点部３０ａが露出し、第４コンタクト保持部５４の受入部４６側の端部からは、第２コンタクト６と接触する第４接点部３２ａが露出している。また、第３接点部３０ａと第４接点部３２ａは、それぞれ上下方向に重なり合う位置に配置されている。
【００２４】
また、受入部４６には、レセプタクルコネクタ２の板状部１０ａを受け入れる受入凹部４６ａが形成され、受入凹部４６ａの内壁面には、第３接点部３０ａ、及び第４接点部３２ａが挿入される溝部４６ｂが形成されている。
【００２５】
また、グランド金具３８は、グランドプレート８と接触する一対のフレーム部３８ａ、及びフレーム部３８ａの後端部を連結する連結部３８ｂを備えている。このように連結部３８ｂによりフレーム部３８ａを連結することにより、レセプタクルコネクタ２にプラグコネクタ２２を嵌合させた場合にフレーム部３８ａが揺れ動かないようにすることができ、フレーム部３８ａが第２ハウジング３４に圧入された状態が緩むことを防止することができる。また、フレーム部３８ａの先端部には、グランドプレート８の突出部８ａと係合する爪部３８ｃが形成されている。
【００２６】
次に、図面を参照して、実施の形態に係るレセプタクルコネクタ２にプラグコネクタ２２を嵌合させる場合について説明する。まず、図１３に示すように、レセプタクルコネクタ２とプラグコネクタ２２とが互いに向き合うように配置される。次に、レセプタクルコネクタ２の挿入孔１４にプラグコネクタ２２の第２ハウジング３４が挿入されると、図１４に示すように、第２ハウジング３４の受入凹部４６ａにレセプタクルコネクタ２の板状部１０ａが受け入れられる。これにより、第１接点部４ａが第３接点部３０ａと接触し、第１コンタクト４と第３コンタクト３０とが電気的に接続される。同様に、第２接点部６ａが第４接点部３２ａと接触し、第２コンタクト６と第４コンタクト３２とが電気的に接続される。
【００２７】
また、図１５に示すように、グランド金具３８のフレーム部３８ａがグランドプレート８の突出部８ａの下面と接触すると共に、爪部３８ｃが突出部８ａと係合する。これにより、グランド金具３８とグランドプレート８とが電気的に接続されると同時に、プラグコネクタ２２がレセプタクルコネクタ２に嵌合された状態にロックされ、レセプタクルコネクタ２からプラグコネクタ２２が脱抜することが阻止される。なお、グランド金具３８は、上下の向きを入れ替えてプラグコネクタ２２内に配置されてもよい。この場合、フレーム部３８ａがグランドプレート８の突出部８ａの上面と接触する。
【００２８】
次に、図面を参照して、実施の形態に係るレセプタクルコネクタ２に第１コンタクト４、第２コンタクト６、及びグランドプレート８をインサート成形する場合について説明する。まず、図１５に示すように、第１キャリア４ｘが接続された第１コンタクト４、第２キャリア６ｘが接続された第２コンタクト６、及び第３キャリア８ｘが接続されたグランドプレート８が配置される。ここで、第１キャリア４ｘ、第２キャリア６ｘ、及び第３キャリア８ｘは、図示しない器具によって押さえ付けられ、第１コンタクト４、第２コンタクト６、及びグランドプレート８がそれぞれ所定の位置に保持されている。
【００２９】
次に、図１７、１８に示すように、金型パーツ６０によって第１コンタクト４、及び第２コンタクト６が上下方向から押さえつけられる。なお、この状態において、上下の金型パーツ６０の先端部分６０ａは、グランドプレート８の開口部８ｃ（図１６参照）を貫通している。
【００３０】
また、ここでは図示していないが、第１接点部４ａの先端部４ｃ、及び第２接点部６ａの先端部６ｃ（図６、７参照参照）もまた、金型部材（図示せず）によって上下方向から押さえつけられる。これにより、樹脂部材の射出成形時に第１コンタクト４、及び第２コンタクト６が揺れ動かないように固定される。
【００３１】
次に、図１９に示すように、金型パーツ６０、及び金型部材によって、第１コンタクト４、及び第２コンタクト６が固定された状態で樹脂部材が射出成形され、第１ハウジング１０が形成される。次に、図２０に示すように、金型パーツ６０、金型部材が外された後、第１キャリア４ｘ、第２キャリア６ｘ、及び第３キャリア８ｘがそれぞれ切除されて、図３に示す形の第１ハウジング１０が完成する。
【００３２】
この実施の形態に係る電気コネクタによれば、グランド金具３８の爪部３８ｃをグランドプレート８の突出部８ａと係合させることにより、レセプタクルコネクタ２にプラグコネクタ２２が嵌合された状態にロックすることができる。このため、第１シェル部１２の外壁面にロック穴を設ける必要がなくなり、第１シェル部１２に防水加工が施しやすくなる。また、第１シェル部１２の外壁面にロック穴を設ける必要がなくなることにより、第２シェル部２６にロック穴と係合させるバネ等を設ける必要もなくなるため、電気コネクタの小型化、薄型化を図ることができる。
【００３３】
また、第１コンタクト４と第２コンタクト６との間にグランドプレート８を配置することにより、第１コンタクト４と第２コンタクト６とを確実に遮断することができ、コンタクト間のクロストークを低減することができる。従って、コンタクト間のクロストークを低減しつつ的確に嵌合させることのできる防水性の高い電気コネクタを提供することができる。また、第１コンタクト４と第２コンタクト６との間にグランドプレート８を配置することにより、レセプタクルコネクタ２の強度や高速伝送性能を向上させることができる。
【００３４】
また、レセプタクルコネクタ２には、第１接点部４ａと第２接点部６ａが上下対象に配置され（図６参照）、プラグコネクタ２２には、第３接点部３０ａと第４接点部３２ａが上下対象に配置されているため（図１２参照）、レセプタクルコネクタ２、プラグコネクタ２２の何れか一方を上下反転させても接続できるリバーシブルな電気コネクタを提供することができる。なお、この場合において、第１テール部４ｂと第２テール部６ｂ、第１接点部４ａの先端部６ｃと第２接点部６ａの先端部６ｃは、それぞれ上下方向に重なり合わないため、樹脂部材の圧入時に金型パーツ６０、金型部材によって、第１コンタクト４、第２コンタクト６をそれぞれ確実に押え付けることができる（図１７、１８参照）。
【００３５】
なお、上述の実施の形態においては、レセプタクルコネクタ２、プラグコネクタ２２が第１シェル部１２、第２シェル部２６を備える場合を例に説明しているが、レセプタクルコネクタ２、プラグコネクタ２２は必ずしも第１シェル部１２、第２シェル部２６を備えなくてもよい。
【００３６】
また、上述の実施の形態においては、必ずしも第１コンタクト４、第２コンタクト６、及びグランドプレート８の全てが一括してインサート成形される必要はなく、第１コンタクト４、第２コンタクト６、及びグランドプレート８の中の少なくとも一つがインサート成形されていればよい。
【００３７】
また、上述の実施の形態において、図２１に示すように、グランド金具３８の爪部３８ｃをコンタクト配列方向に突出させ、グランドプレート８の突出部８ａに爪部３８と係合する係止部８ｆ、及び爪部３８ｃと接触する接触部ｇを設けてもよい。この場合爪部３８が接触部ｇに接触、かつ係止部８ｆと係合することにより、レセプタクルコネクタ２からプラグコネクタ２２が脱抜することが阻止される。また、図２２に示すように、フレーム部３８ａが突出部８ａの側面と接触するようにしてもよい。
【００３８】
また、上述の実施の形態において、爪部３８ｃを突出部８ａと係合させず、爪部３８ｃと突出部８ａとの間に生じる摩擦力によってレセプタクルコネクタ２からプラグコネクタ２２が脱抜することを阻止してもよい。この場合、図２３に示すように、爪部３８ｃを突出部８ａの下面と接触させてもよく、図２４に示すように、突出部８ａのコンタクト配列方向側面から爪部３８ｃでグランドプレート８を挟み込んでもよい。また、図２５に示すように、グランド金具３８に複数のフレーム部３８ａを備え、上下両面から突出部８ａを挟み込んでもよい。なお、図２３に示すグランド金具３８は、上下の向きを入れ替えてプラグコネクタ２２内に配置されてもよい。この場合、爪部３８ｃが突出部８ａの上面と接触する。
【００３９】
また、上述の実施の形態において、図２６に示すように、第２シェル部２６の外壁面に、第１シェル部１２の内壁面と接触する可撓性の接触子５５を設けてもよい。これにより、レセプタクルコネクタ２にプラグコネクタ２２を嵌合させた場合に、第１シェルと第２シェルとを的確に電気的接続させることができる。
【００４０】
また、上述の実施の形態において、第１コンタクト４、第２コンタクト６、グランドプレート８、及び第１シェル部１２を一括してインサート成形し、レセプタクルコネクタ２の防水性を向上させてもよい。
【００４１】
また、上述の実施の形態において、第１シェル部１２の内壁面と第１ハウジング１０の外壁面との間に防水処理を施してもよい。例えば、第１シェル部１２の内壁面と第１ハウジング１０の外壁面との間にシール剤を充填してもよく、第１ハウジング１０の外壁面に第１シェルの内壁面と当接するパッキンを備えてもよい。また、第１ハウジング１０と第１コンタクト４との隙間、及び第１ハウジング１０と第２コンタクト６との隙間、第１ハウジング１０とグランドプレート８との隙間の中の少なくとも一つの隙間にシール剤等の防水処理を施してもよい。
【００４２】
また、図２７、２８に示すように、第１シェル部１２の外壁面と第１ハウジング１０の後端部１０ｇをインサート成形によって樹脂５６で覆い、防水性を向上させるようにしてもよい。
【００４３】
また、上述の実施の形態において、レセプタクルコネクタ２を携帯電話等の電子機器の筐体内部に配置し、第１シェル部１２の外壁面に電子機器の筐体の内壁面と接触するパッキンを備えてもよい。これにより、電子機器の筐体とレセプタクルコネクタ２との隙間に防水処理を施すことができる。なお、レセプタクルコネクタ２が第１シェル部１２を備えない場合、第１ハウジング１０の外壁面に電子機器の筐体の内壁面と接触するパッキンを備える。
【００４４】
また、上述の実施の形態において、図２９に示すように、グランド金具３８の連結部３８ｂに板状のプレート部３８ｆを設けてもよい。この場合、コンタクト保持部４４（図１１参照）にプレート部３８ｆを組み付けるとプレート部３８ｆが第３コンタクト３０と第４コンタクト３２との間に配置される。これにより、第３コンタクト３０と第４コンタクト３２とを確実に遮断することができ、プラグコネクタ２２においてもコンタクト間のクロストークを低減することができる。
【００４５】
また、上述の実施の形態において、第１コンタクト４、第２コンタクト６を左または右にシフト（図７参照）させないように形成し、図３０、３１に示すように、第１コンタクト４と第２コンタクト６が上下方向に重ならないように配置してもよい。この場合、図３２に示すように、第１ハウジング１０を正面から視た場合、中心部Ａの位置を基点として第１コンタクト４と第２コンタクト６とが回転対象となる。この場合においても、レセプタクルコネクタ２、プラグコネクタ２２の何れか一方を上下反転させても接続できるリバーシブルな電気コネクタを提供することができる。
【符号の説明】
【００４６】
２…レセプタクルコネクタ、４…第１コンタクト、４ａ…第１接点部、４ｂ…第１テール部、４ｃ…先端部、６…第２コンタクト、６ａ…第２接点部、６ｂ…第２テール部、６ｃ…先端部、８…グランドプレート、８ａ…突出部、８ｃ…開口部、１０…第１ハウジング、１０ａ…板状部、１０ｂ…ボディ部、１０ｄ…開口部、１２…第１シェル部、２２…プラグコネクタ、２６…第２シェル部、３０…第３コンタクト、３０ａ…第３接点部、３２…第４コンタクト、３２ａ…第４接点部、３８…グランド金具、３８ａ…フレーム部、３８ｂ…連結部、３８ｃ…爪部、３４…第２ハウジング、４４…コンタクト保持部、４６…受入部、４６ａ…受入凹部、５２…第３コンタクト保持部、５４…第４コンタクト保持部
【図１】
2015170485.tif 000003
【図２】
2015170485.tif 000004
【図３】
2015170485.tif 000005
【図４】
2015170485.tif 000006
【図５】
2015170485.tif 000007
【図６】
2015170485.tif 000008
【図７】
2015170485.tif 000009
【図８】
2015170485.tif 000010
【図９】
2015170485.tif 000011
【図１０】
2015170485.tif 000012
【図１１】
2015170485.tif 000013
【図１２】
2015170485.tif 000014
【図１３】
2015170485.tif 000015
【図１４】
2015170485.tif 000016
【図１５】
2015170485.tif 000017
【図１６】
2015170485.tif 000018
【図１７】
2015170485.tif 000019
【図１８】
2015170485.tif 000020
【図１９】
2015170485.tif 000021
【図２０】
2015170485.tif 000022
【図２１】
2015170485.tif 000023
【図２２】
2015170485.tif 000024
【図２３】
2015170485.tif 000025
【図２４】
2015170485.tif 000026
【図２５】
2015170485.tif 000027
【図２６】
2015170485.tif 000028
【図２７】
2015170485.tif 000029
【図２８】
2015170485.tif 000030
【図２９】
2015170485.tif 000031
【図３０】
2015170485.tif 000032
【図３１】
2015170485.tif 000033
【図３２】
2015170485.tif 000034